(57)【要約】【課題】ディスクの傷や汚れ等によりＤＭＡが記録後に読み取れなくなった場合でも、自動的に読取不能を検出して修復することができるディスク装置を提供する。【解決手段】書換可能領域と、複数の欠陥管理領域と、再生に使用するに適した欠陥管理領域の位置を示す複数の位置情報領域とを有するディスクを読取って読取信号を出力する読取部と、書換可能領域、又は、欠陥管理領域に情報を記録する記録部（ＰＵ）と、与えられる欠陥管理情報に基づいて、読取部で読み出された書換可能領域に格納された情報を再生する再生部と、位置情報領域に格納される複数の位置情報に基づいて複数の欠陥管理情報を読み出し、読めなかった欠陥管理情報を読めた欠陥管理情報に応じて修復するべく読取部及び記録部を制御する制御部とをもつディスク装置。【選択図】図１
2006209930.tif 000002
【特許請求の範囲】
【請求項１】
書換可能領域と、複数の欠陥管理領域と、前記複数の欠陥管理領域の中の再生に使用するのに最適のものの位置を示す複数の位置情報領域とを有するディスクを読取って読取信号を出力する読取部と、
前記書換可能領域、又は、前記欠陥管理領域に情報を記録する記録部と、
与えられる欠陥管理情報に基づいて、前記読取部で読み出された前記書換可能領域に格納された情報を再生する再生部と、
前記位置情報領域に格納される前記複数の位置情報に基づいて複数の欠陥管理情報を読み出し、読めなかった欠陥管理情報を読めた欠陥管理情報に応じて修復するべく前記読取部及び記録部を制御する制御部と、を具備することを特徴とするディスク装置。
【請求項２】
前記制御部は、前記ディスク装置の起動時において、前記欠陥管理情報の修復処理を行なうことを特徴とする請求項１記載のディスク装置。
【請求項３】
前記制御部は、前記読取部への前記ディスクの挿入時において、前記欠陥管理情報の修復処理を行なうことを特徴とする請求項１記載のディスク装置。
【請求項４】
前記制御部は、前記ディスク装置のアイドル時間において、前記欠陥管理情報の修復処理を行なうことを特徴とする請求項１記載のディスク装置。
【請求項５】
前記制御部は、前記読取部から前記ディスクを排出する際において、前記欠陥管理情報の修復処理を行なうことを特徴とする請求項１記載のディスク装置。
【請求項６】
前記制御部は、前記位置情報領域の情報が読み取れなかった場合、前記複数の欠陥管理領域の情報を順次読み取ることにより、最新の欠陥管理情報を取得することを特徴とする請求項１記載のディスク装置。
【請求項７】
前記制御部は、前記読めなかった欠陥管理情報を修復した後、修復後の欠陥管理情報を再度読み取ることを特徴とする請求項１記載のディスク装置。
【請求項８】
前記制御部は、前記読めなかった欠陥管理情報を修復した後、修復後の欠陥管理情報を再度読み取り、このとき読めなかった場合、前記最新の前記欠陥管理情報を、前記欠陥管理領域とは異なる領域に記録するべく制御することを特徴とする請求項１記載のディスク装置。
【請求項９】
前記制御部は、前記最新の欠陥管理情報の位置情報を前記位置情報領域に記録することを特徴とする請求項８記載のディスク装置。
【請求項１０】
前記制御部は、前記ディスクがＨＤ  ＤＶＤであり書き換えフォーマットにてフォーマットされている場合、前記位置情報領域は２つのマネージャとして、前記欠陥管理領域は４組のＤＭＡとして前記読み取り処理を行なうことをと特徴とする請求項１記載のディスク装置。
【請求項１１】
書換可能領域と、複数の欠陥管理領域と、前記複数の欠陥管理領域の中の再生に使用するのに最適のものの位置を示す複数の位置情報領域とを有するディスクから、前記位置情報領域に格納される前記複数の位置情報に基づいて複数の欠陥管理情報を読み出し、読めなかった欠陥管理情報を読めた欠陥管理情報に応じて修復することを特徴とするディスク処理方法。
【請求項１２】
前記ディスクを読み取るディスク装置の起動時において、前記欠陥管理情報の修復処理を行なうことを特徴とする請求項１１記載のディスク処理方法。
【請求項１３】
前記ディスクの読取部への挿入時において、前記欠陥管理情報の修復処理を行なうことを特徴とする請求項１１記載のディスク処理方法。
【請求項１４】
前記ディスクを読み取るディスク装置のアイドル時間において、前記欠陥管理情報の修復処理を行なうことを特徴とする請求項１１記載のディスク処理方法。
【請求項１５】
前記ディスクを読み取るディスク読取部から前記ディスクを排出する際において、前記欠陥管理情報の修復処理を行なうことを特徴とする請求項１１記載のディスク処理方法。
【請求項１６】
前記位置情報領域の情報が読み取れなかった場合、前記複数の欠陥管理領域の情報を順次読み取ることにより、最新の欠陥管理情報を取得することを特徴とする請求項１１記載のディスク処理方法。
【請求項１７】
前記読めなかった欠陥管理情報を修復した後、修復後の欠陥管理情報を再度読み取ることを特徴とする請求項１１記載のディスク処理方法。
【請求項１８】
前記読めなかった欠陥管理情報を修復した後、修復後の欠陥管理情報を再度読み取り、このとき読めなかった場合、前記最新の前記欠陥管理情報を、前記欠陥管理領域とは異なる領域に記録するべく制御することを特徴とする請求項１１記載のディスク処理方法。
【請求項１９】
前記最新の欠陥管理情報の位置情報を前記位置情報領域に記録することを特徴とする請求項１８記載のディスク処理方法。
【請求項２０】
前記ディスクがＨＤ  ＤＶＤであり書き換えフォーマットにてフォーマットされている場合、前記位置情報領域は２つのマネージャとして、前記欠陥管理領域は４組のＤＭＡとして前記読み取り処理を行なうことをと特徴とする請求項１１記載のディスク処理方法。
【発明の詳細な説明】
【技術分野】
【０００１】
本発明は、欠陥管理情報（ＤＭＡ(Defect Management Area)情報）を格納する欠陥管理エリアを備えた情報記録媒体を再生するディスク装置及びディスク処理方法に関し、特に、欠陥管理情報の一部が破壊されている場合等に、ホストコントローラとは無関係に自動的にこの欠陥管理情報を修復するディスク装置及びディスク処理方法に関する。
【背景技術】
【０００２】
光ディスクなどの情報記憶媒体は、ユーザデータを格納するためのユーザエリアを備えており、このユーザエリア中に発生する欠陥を補償するための仕組みを持っている。このような仕組みは、交替処理と呼ばれている。この交替処理に関する情報、即ち欠陥管理情報を管理するエリアは、ＤＭＡ(Defect Management Area)と呼ばれている。
【０００３】
情報記録媒体のうちＤＶＤ−ＲＡＭは、１０万回以上のオーバーライトが可能であるが、ＨＤ  ＤＶＤ−ＲＷのような記録耐性が低いディスクはＤＭＡを複数持ち、ＤＭＡ自体を遷移させる機能を有している。
【０００４】
特許文献１は、このときのＤＭＡマネージャを直ちにＤＭＡ領域に書き込むのではなくて、第１のＤＭＡ領域にＤＭＡを書き込み、その後、このＤＭＡを読み出して正常と判断すれば、残りの第２乃至第４のＤＭＡ領域にもＤＭＡを書き込むことで、ＤＭＡの信頼性を高くする技術が示されている。
【特許文献１】特開平７−２９１７７号公報。
【発明の開示】
【発明が解決しようとする課題】
【０００５】
しかしながら、特許文献１の従来技術は、ＤＭＡを新たに記録する際に、複数の領域につき、１領域毎に確認しつつ記録することで、書き込みの信頼性を向上させているものの、記録後において、ディスクの記憶領域の傷や汚れ等の原因により、欠陥管理情報（以下、ＤＭＡとする）の一部が失われた場合においては、このＤＭＡが自動的に修復することはありえない。従って、長期間に渡って、ＤＭＡの信頼性を維持することができないという問題がある。
【０００６】
本発明は、ディスクの傷や汚れ等によりＤＭＡが記録後に読み取れなくなった場合でも、自動的に読取不能を検出して修復することができるディスク装置及びディスク処理方法を提供することを目的とする。
【課題を解決するための手段】
【０００７】
本発明の一実施形態は、書換可能領域と、複数の欠陥管理領域と、前記複数の欠陥管理領域の中の再生に使用するのに最適のものの位置を示す複数の位置情報領域とを有するディスクを読取って読取信号を出力する読取部と、前記書換可能領域、又は、前記欠陥管理領域に情報を記録する記録部と、与えられる欠陥管理情報に基づいて、前記読取部で読み出された前記書換可能領域に格納された情報を再生する再生部と、前記位置情報領域に格納される前記複数の位置情報に基づいて複数の欠陥管理情報を読み出し、読めなかった欠陥管理情報を読めた欠陥管理情報に応じて修復するべく前記読取部及び記録部を制御する制御部とを具備することを特徴とするディスク装置である。
【発明の効果】
【０００８】
上記のディスク装置においては、ディスクの傷や汚れ等が原因でＤＭＡの一部が読めない場合、特に、ホストコントローラからのコマンドを受けることなく自動的に、読み取りが可能な他のＤＭＡを、読み取りに失敗したＤＭＡ領域に記録することで修復処理を行なうものである。これにより、ＤＭＡを用いた交換処理等を確実に行なうことができるため、信頼性の高い再生処理を可能とするものである。又、このような自動修復処理を反復することにより、記録品位低下等により再生不能なＤＭＡブロックが複数存在した場合であっても、ＤＭＡを書き換えることにより、ＤＭＡ遷移回数を抑制することができ、記録寿命向上と信頼性の向上を図ることができる。
【０００９】
なお、ＤＭＡの修復後は、修復後のＤＭＡの読取テストが行なわれ、ここで再度、読取不能となると、ＤＭＡ領域を遷移する遷移処理等に移行することが好適である。
【発明を実施するための最良の形態】
【００１０】
以下、本発明の実施の形態について図面を参照して詳細に説明する。
【００１１】
本発明の一実施形態である情報記録再生装置は、記録媒体（光ディスク）に対して、欠陥管理情報に基づく交換処理を行なうものである。このために、複数の欠陥管理情報（以下、ＤＭＡと称する）を適宜読み出して、部分的に読み出せないＤＭＡを発見すると自動的にこれを修復するものである。
【００１２】
図１は、本発明の一実施形態に係る情報再生装置の概略構成の一例を示す図、図２は、本発明の一実施形態に係る情報再生装置が扱う記録媒体の一例を示す外観図、図３は、本発明の一実施形態に係る情報再生装置が扱うＤＶＤ−ＲＡＭ上のＤＭＡの配置の一例を示した説明図、図４は、本発明の一実施形態に係る情報再生装置が扱うＤＶＤ−ＲＡＭ上のＤＭＡの配置の他の一例を示した説明図である。
【００１３】
＜本発明に係る情報記録再生装置の一例＞
（構成）
初めに、本発明の一実施形態に係る情報記録再生装置の構成の一例について、図面を用いて詳細に説明する。図１は、本発明の一実施の形態に係る情報記録再生装置の概略構成を示す図である。この情報記録再生装置Ｔは、媒体（光ディスク）１に対してユーザデータを記録したり、媒体１に記録されたユーザデータを再生したりする。又、この情報記録再生装置は、必要に応じて交替処理も実行する。
【００１４】
情報記録再生装置Ｔは、図１に示すように、変調回路２と、レーザ制御回路３と、これに接続される光ピックアップＰＵとを有している。ここで、光ピックアップＰＵは、レーザ４、コリメートレンズ５、偏光ビームスプリッタ（以下ＰＢＳ）６、４分の１波長板７、対物レンズ８、集光レンズ９、光検出器１０を有しいている。更に、情報記録再生装置Ｔは、信号処理回路１１、復調回路１２、フォーカスエラー信号生成回路１３、トラッキングエラー信号生成回路１４、フォーカス制御回路１６、トラッキング制御回路１７、主制御部２０を備えている。
【００１５】
ここで、主制御部２０は、ドライブ部を制御することで、記録処理の制御、再生処理の制御、ＤＭＡ処理、及び、本発明の一実施形態であるＤＭＡ修復部を有するものである。ここで、ドライブ部は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、及びトラッキング制御回路１７を含むものである。
【００１６】
（動作）
ここで、本発明の一実施形態である情報記録再生装置Ｔの処理動作について説明する。初めに、この情報記録再生装置Ｔによるデータの記録処理について説明する。データの記録処理は、主制御部２０により制御される。記録データ（データシンボル）は、変調回路２により所定のチャネルビット系列に変調される。記録データに対応したチャネルビット系列は、レーザ制御回路３によりレーザ駆動波形に変換される。レーザ制御回路３は、レーザ４をパルス駆動し、所望のビット系列に対応したデータを媒体１上に記録する。レーザ４から放射された記録用の光ビームは、コリメートレンズ５で平行光となり、ＰＢＳ６に入射し、透過する。ＰＢＳ６を透過したビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。
【００１７】
続いて、この情報記録再生装置によるデータの再生処理について説明する。データの再生は、主制御部２０により制御される。主制御部２０からのデータ再生指示に基づき、レーザ４は再生用の光ビームを放射する。レーザ４から放射された再生用の光ビームは、コリメートレンズ５で平行光となり、ＰＢＳ６に入射し、透過する。ＰＢＳ６を透過した光ビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、媒体１上に照射された再生用の光ビームは、情報記録面内の反射膜あるいは反射性記録膜により反射される。反射光は対物レンズ８を逆方向に透過し、再度平行光となる。反射光は４分の１波長板７を透過し、入射光に対して垂直な偏光を持ち、ＰＢＳ６では反射される。ＰＢＳ６で反射されたビームは集光レンズ９により収束光となり、光検出器１０に入射される。光検出器１０は、例えば、４分割のフォトディテクタから構成されている。光検出器１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【００１８】
又、光検出器１０から出力される電気信号の一部に基づき、フォーカスエラー信号生成回路１３によりフォーカスエラー信号が生成される。同様に、光検出器１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【００１９】
ここで、主制御部２０によるＤＭＡ処理である交替処理について簡単に説明する。媒体をフォーマットする時には、サーティファイが実行される。このとき、主制御部２０は、媒体上の欠陥を検出する。このとき検出された欠陥、即ち初期欠陥に関する欠陥管理情報は、主制御部２０により媒体のＤＭＡの中のＰＤＬに記録される。欠陥管理情報は、交替元のセクタのアドレスと交替先のセクタのアドレスとを含むものである。通常の記録時にも、主制御部２０は、媒体上の欠陥を検出する。このとき検出された欠陥、即ち２次欠陥に関する欠陥管理情報は、主制御部２０により媒体のＤＭＡの中のＳＤＬに記録される。欠陥管理情報は、交替元のＥＣＣブロックの先頭セクタのアドレスと交替先のＥＣＣブロックの先頭セクタのアドレスとを含む。ＰＤＬ及びＳＤＬに基づき、交替元に対するアクセスは、交替先に対するアクセスと見なされる。
【００２０】
（記録媒体上のＤＭＡマネージャとＤＭＡ）
ここで、本発明の一実施形態である情報記録再生装置Ｔが扱う記録媒体１の一例においては、図２に示すように、最内周にリードインエリアＡ１を備え、最外周にリードアウトエリアＡ３を備える。又、媒体１は、リードインエリアＡ１とリードアウトエリアＡ３の間にデータエリアＡ２を備える。データエリアＡ２は、ユーザエリアＵＡとスペアエリアＳＡを備える。
【００２１】
最内周のリードインエリアＡ１は、図３に示すように、第１のＤＭＡ系列（ＤＭＡ系列１、２）を備え、最外周のリードアウトエリアＡ３は第２のＤＭＡ系列（ＤＭＡ系列３、４）を備える。更に、図４によれば、リードインエリアＡ１において、ＤＭＡマネージャ１−１乃至１−Ｎと、ＤＭＡ１−１乃至ＤＭＡ１−Ｍ、ＤＭＡ２−１乃至ＤＭＡ２−Ｍが設けられ、リードアウトエリアＡ３において、ＤＭＡマネージャ２−１乃至２−Ｎと、ＤＭＡ３−１乃至ＤＭＡ３−Ｍ、ＤＭＡ４−１乃至ＤＭＡ４−Ｍが設けられている。
【００２２】
このように、最内周と最外周にＤＭＡ系列を配置することで、物理的に複数のＤＭＡ系列が離れて配置されることになる。結果的に、ＤＭＡが障害に対してより強くなる。
【００２３】
＜本発明に係る情報記録再生装置のＤＭＡ修復処理方法＞
次に、本発明の一実施形態であるＤＭＡ修復処理方法について、フローチャートを用いて以下に詳細に説明する。図５は、本発明の一実施形態に係る情報記録再生装置の起動処理の一例を示すフローチャート、図６は、本発明の一実施形態に係る情報記録再生装置の挿入処理の一例を示すフローチャート、図７は、同じくアイドル処理の一例を示すフローチャート、図８は、同じく排出処理の一例を示すフローチャート、図９は、同じく修復処理の一例を示すフローチャート、図１０は、同じく交換処理の一例を示すフローチャートである。
【００２４】
本発明の一実施形態に係る情報記録再生装置において、ＤＭＡ修復処理は、ユーザの操作を待たずに自動的に（又はユーザの強制操作に応じて行なうものでもよい）、行なわれるものであり、それは、一例として、図５乃至図８に示すような各種タイミングにおいて行なわれる。
【００２５】
すなわち、図５のフローチャートにおいては、情報記録再生装置において、制御部２０の制御下において、情報記録再生装置の起動が行なわれた後に、自動的にＤＭＡ修復処理がなされる。すなわち、情報記録再生装置の起動の際には、リセット初期化を経て（Ｓ１１）、ディスクを判定し（Ｓ１２）、ディスクが認識可能であれば（Ｓ１３）、初期設定を行なった後に（Ｓ１５）、自動調整が行われ（Ｓ１６）、その後、ユーザの操作が特に与えられなくとも後述するＤＭＡ修復処理（Ｓ１７）がなされるものである。又、Ｄレイすくが認識できなければ、別ディスク処理がなされる（Ｓ１４）。その後は、ホストコマンドがあるまで待機状態となる（Ｓ１８）。このように、図５の一例においては、ユーザがディスクを挿入されると、操作コマンドが与えられることを待機する迄に、ＤＭＡがそのつど自動修復されるため、上記手順を行うことにより、記録品位低下等で再生不能なＤＭＡブロックが存在した場合でも、ＤＭＡを書き換えることにより、ＤＭＡ遷移回数を抑えられ、記録寿命向上と信頼性向上が見込まれる。
【００２６】
又、図６のフローチャートにおいては、情報記録再生装置において、同様に、ディスクが読取部に挿入された際にも、自動的に、ＤＭＡ修復処理がなされる。すなわち、情報記録再生装置の読取部にディスクが挿入されると、ディスクを判定し（Ｓ１２）、ディスクが認識可能であれば（Ｓ１３）、初期設定を行なった後に（Ｓ１５）、自動調整が行われ（Ｓ１６）、その後、ユーザの操作が特に与えられなくとも後述するＤＭＡ修復処理（Ｓ１７）がなされるものである。又、ディスクが認識できなければ、別ディスク処理がなされる（Ｓ１４）。その後は、ホストコマンドがあるまで待機状態となる（Ｓ１８）。
【００２７】
又、更に、図７のフローチャートにおいては、情報記録再生装置において、同様に、通常のアイドル状態にあるときに（Ｓ２１）、後述するＤＭＡ修復処理がなされる（Ｓ２２）。そして、その後は、ホストコマンドがあるまで待機状態となる（Ｓ２３）。
【００２８】
又、更に、図８のフローチャートにおいては、情報記録再生装置において、同様に、ディスクが読取部から排出される際にも、自動的に、ＤＭＡ修復処理がなされる。すなわち、情報記録再生装置の読取部からディスクが排出される場合は、キャッシュ内容書き戻しがされた後に（Ｓ３１）、ＤＭＡ修復処理がなされ（Ｓ３２）、その後、ディスクが排出されるものである（Ｓ３３）。
【００２９】
・ＤＭＡ修復処理
ここで、ＤＭＡ修復処理を図９のフローチャートを用いて詳細に説明する。初めに、情報記録再生装置につき、制御部２０の制御下において、図５乃至図８の各動作状況において、ＤＭＡ修復処理が開始すると、初めに、テーブルルックアップ方式に応じて、現在、使用中のＤＭＡがサーチされる（Ｓ４１）。具体的には、図２乃至図４に示したようなＤＭＡマネージャ１−１乃至１−Ｎ，又は、ＤＭＡマネージャ２−１乃至２−Ｎを対象に、ＤＭＡマネージャを検索し、それが見つかったら（Ｓ４１）、マネージャが示す全てのＤＭＡを順次読み出すものである（Ｓ４６）。又、一例として、ディスクがＨＤ  ＤＶＤでありＡＲＷフォーマットにてフォーマットされている場合、２つのマネージャ領域及び４組のＤＭＡを対象として、ＤＭＡ修復処理が行なわれる。ここで、ステップＳ４２において、マネージャが見つからない場合、インクリメンタル方式で、一例として、図２乃至図４に示した各ＤＭＡ領域である、ＤＭＡ１−１乃至ＤＭＡ２−Ｍ、又は、ＤＭＡ３−１乃至ＤＭＡ４−Ｍの領域を、ＤＭＡマネージャの情報を参照することなく、自律的に読み出すものである（Ｓ４３）。
【００３０】
このようにして読み出したＤＭＡは、少なくとも一つが読めたら（Ｓ４７）、読めたＤＭＡを記憶領域等に保持しておき（Ｓ４９）、読めなかったＤＭＡが存在したときに（Ｓ５０）、読めたＤＭＡ情報に基づいて、読めなかったＤＭＡの領域に書き込むことで、読めなかったＤＭＡを正しいＤＭＡに修復するものである（Ｓ５１）。ここで、修復部分のＤＭＡを再度読み出して、読出した内容に問題がなければ処理が終了する（Ｓ５２）（なお、ステップＳ４７において、一つもＤＭＡが読めない際に、ディスクが新しいためにＤＭＡが存在していないのであればよいが、ディスクのＤＭＡの全てが異常である場合は、例えば、この段階で記録処理が命令されていたとしても、この記録処理は中止することも好適である）。
【００３１】
一方、読み出した内容が完全に修復されていないとなると、遷移処理が行なわれることとなり、すなわち、ＤＭＡを書き込む位置を変えて記録した上で、この位置情報をＤＭＡマネージャに記録して、ＤＭＡ修復処理を終えるものである（Ｓ５３）。又、ここで、ステップＳ４７において、ＤＭＡが全く読めなかったり、ステップＳ５０において、読めなかったＤＭＡが何も存在しなければ、ＤＭＡ修復処理はなされないで終わることとなる。
【００３２】
このようにして、ＤＭＡ修復処理が、上述した図５乃至図８の各動作状況において行なわれることにより、記録品位低下等で再生不能なＤＭＡブロックが存在した場合でも、ＤＭＡ自動的に書き換えることにより、ＤＭＡ遷移回数を抑えられ、記録寿命向上と信頼性向上を見込むことができるディスク装置及びディスク処理方法を提供することができる。
【００３３】
・交換処理
なお、次に、参考までに、このように信頼性が向上したＤＭＡを用いて行なわれる交換処理について、図１０のフローチャートを用いて、以下に簡単に説明する。ユーザエリア中に発生した欠陥エリアに記録されるべきデータは、スペアエリアＳＡに交替記録される（Ｓ７１）。その上、交替元（欠陥エリア）と交替先（スペアエリアＳＡの所定エリア）の先頭アドレスが、ＤＭＡ内のＳＤＬ（Secondly Defect List）に登録される。ＤＭＡは、例えば図１に示すように、情報記録媒体の内周及び外周に配置されており、両ＤＭＡのＳＤＬには同一のデータが登録される。ＳＤＬに対して情報が登録されると、ＳＤＬのアップデートカウンタがインクリメント（＋１）されるものである（Ｓ７２）。このようにして信頼性の高いＤＭＡ処理に基づく再生処理を行なうことができるため、動作安定性に優れたディスク装置及びディスク再生方法を提供することができる。
【００３４】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３５】
【図１】本発明の一実施形態に係る情報記録再生装置の概略構成の一例を示す図。
【図２】本発明の一実施形態に係る情報記録再生装置が扱う記録媒体の一例を示す外観図。
【図３】本発明の一実施形態に係る情報記録再生装置が扱うＤＶＤ−ＲＡＭ上のＤＭＡの配置の一例を示した説明図。
【図４】本発明の一実施形態に係る情報記録再生装置が扱うＤＶＤ−ＲＡＭ上のＤＭＡの配置の他の一例を示した説明図。
【図５】本発明の一実施形態に係る情報記録再生装置の起動処理の一例を示すフローチャート。
【図６】本発明の一実施形態に係る情報記録再生装置の挿入処理の一例を示すフローチャート。
【図７】本発明の一実施形態に係る情報記録再生装置のアイドル処理の一例を示すフローチャート。
【図８】本発明の一実施形態に係る情報記録再生装置の排出処理の一例を示すフローチャート。
【図９】本発明の一実施形態に係る情報記録再生装置の修復処理の一例を示すフローチャート。
【図１０】本発明の一実施形態に係る情報記録再生装置の交換処理の一例を示すフローチャート。
【符号の説明】
【００３６】
１…情報記憶媒体（光ディスク）、２…変調回路、３…レーザ制御回路、４…レーザ、５…コリメートレンズ、６…偏光ビームスプリッタ（ＰＢＳ）、７…４分の１波長板、８…対物レンズ、９…集光レンズ、１０…光検出器、１１…信号処理回路、１２…復調回路、１３…フォーカスエラー信号生成回路、１４…トラッキングエラー信号生成回路、１６…フォーカス制御回路、１７…トラッキング制御回路、２０…主制御部、ＳＡ…スペアエリア、ＵＡ…ユーザエリア、Ａ１…リードインエリア、Ａ２…データエリア、Ａ３…リードアウトエリア。
【図１】
2006209930.tif 000003
【図２】
2006209930.tif 000004
【図３】
2006209930.tif 000005
【図４】
2006209930.tif 000006
【図５】
2006209930.tif 000007
【図６】
2006209930.tif 000008
【図７】
2006209930.tif 000009
【図８】
2006209930.tif 000010
【図９】
2006209930.tif 000011
【図１０】
2006209930.tif 000012